(57)【特許請求の範囲】
【請求項１】
便鉢の下流側に連通して下流側に向けて斜め上方に上昇する上昇流路の下流側に連通し、下流側に向けて下降する下降流路を備えた水洗式便器の排水路であって、
前記下降流路は、前記上昇流路の頂部から内周面の左右側面に沿って左右が中央部に比べて後方に向けて伸びており、前記左右側面から内側に突出して形成された棚部を有していることを特徴とする水洗式便器の排水路。
【請求項２】
前記棚部は内側上方を向いた傾斜面からなることを特徴とする請求項１記載の水洗式便器の排水路。
【請求項３】
前記棚部は前記下降流路の内周面に沿って後方に向けて下降していることを特徴とする請求項１又は２記載の水洗式便器の排水路。
【請求項４】
前記棚部は前記下降流路の内周面に沿って後方に向けて幅が細くなることを特徴とする請求項１乃至３のいずれか１項記載の水洗式便器の排水路。
【請求項５】
前記棚部は前記下降流路の後側面の中央部まで延びていることを特徴とする請求項１乃至４のいずれか１項記載の水洗式便器の排水路。
【発明の詳細な説明】
【技術分野】
【０００１】
本発明は水洗式便器の排水路に関する。
【背景技術】
【０００２】
特許文献１には従来の水洗式便器の排水路が開示されている。この水洗式便器の排水路は、便鉢の下流側に連通して下流側に向けて上昇する上昇流路に連通し、下流側に向けて下降する下降流路を備えている。また、この水洗式便器の排水路は、上昇流路の下側面の下流側に位置する頂部と下降流路との境界部に、内側上方を向いた傾斜面からなる棚部を備えている。
【０００３】
頂部を乗り越えた洗浄水は棚部によって下降流路の内周面から剥がれるように下降流路内に流れ落ちる。この洗浄水が棚部に対向する下降流路の後方の内周面に衝突することにより、下降流路内に水膜を形成することができる。これによって、この水洗式便器は排水路内にサイホン作用を発生して便器洗浄を行うことができる。
【先行技術文献】
【特許文献】
【０００４】
【特許文献１】特開平７−３２４３６７号公報
【発明の概要】
【発明が解決しようとする課題】
【０００５】
しかし、特許文献１の水洗式便器の排水路では、頂部を乗り越える洗浄水の流量が少なかったり、その勢いが弱かったりすると、洗浄水が棚部に対向する下降流路の内周面の後方に届かないおそれがある。この場合、下降流路内に水膜が形成されず、排水路内にサイホン作用を発生することができないため、水洗式便器の便器洗浄が不充分になる。
【０００６】
本発明は、上記従来の実情に鑑みてなされたものであって、便器洗浄を良好に行うことができる水洗式便器の排水路を提供することを解決すべき課題としている。
【課題を解決するための手段】
【０００７】
本発明の水洗式便器の排水路は、便鉢の下流側に連通して下流側に向けて斜め上方に上昇する上昇流路の下流側に連通し、下流側に向けて下降する下降流路を備えた水洗式便器の排水路であって、
前記下降流路は、前記上昇流路の頂部から内周面の左右側面に沿って左右が中央部に比べて後方に向けて伸びており、前記左右側面から内側に突出して形成された棚部を有していることを特徴とする。
【０００８】
この水洗式便器の排水路では、上昇流路の下側面の下流側に位置する頂部から延び、下降流路の内周面に沿って内側に突出した棚部が形成されているため、洗浄水が棚部に沿って流れ、下降流路の後方に洗浄水を送ることができる。棚部から流れ落ちた洗浄水は、棚部より下方に形成した絞り部に衝突する等して飛散し、水膜発生領域に水膜を形成する。このため、排水路内にサイホン作用を早期に発生させることができる。つまり、少ない洗浄水でもサイホン作用を早期に発生させることができ、汚物等の搬送を良好に行うことができる。
【０００９】
したがって、本発明の水洗式便器の排水路は、便器洗浄を良好に行うことができる。
【００１０】
前記棚部は内側上方を向いた傾斜面を有し得る。この場合、棚部によって下降流路の流路面積が小さくなるが、その変化を緩やかにすることができる。このため、棚部による汚物等の詰まりを防止することができ、汚物等の搬送を良好に行うことができる。
【００１１】
前記棚部は前記下降流路の内周面に沿って後方に向けて下降し得る。この場合、棚部に流れる洗浄水が少なくても下降流路の内周面に沿って下降流路の後部まで洗浄水を回すことができる。このため、少ない洗浄水でも下降流路の内周から洗浄水が流れ落ち、水膜を確実に形成することができる。つまり、少ない洗浄水でサイホン作用を早期に発生させることができ、汚物等の搬送を良好に行うことができる。
【００１２】
前記棚部は前記下降流路の内周面に沿って後方に向けて幅が細くなり得る。この場合、排水路内にサイホン作用が発生し、下降流路内を洗浄水と共に汚物等が流れる際には棚部がその流れの抵抗となる。このため、棚部の幅を後方に向けて細くすることにより、棚部に沿って洗浄水を下降流路の内周面に回して早期にサイホン作用を発生させるとともに、サイホン作用が発生した後の洗浄水等の流れの抵抗を減少し、汚物等の搬送を良好に行うことができる。
【００１３】
前記棚部は前記下降流路の後側面の中央部まで延び得る。この場合、下降流路の内周面に沿って下降流路の後側面の中央部まで洗浄水を確実に回すことができる。このため、少ない洗浄水で下降流路内に水膜を形成することができる。特に、下降流路の下流端に連通し、横方向に延びる横引き流路を有する排水路では、下降流路の後側面の下端部から拡がるように水膜が形成されて排水路内にサイホン作用が発生する。このため、洗浄水が下降流路の後側面の中央部まで回ることにより、水膜を確実に形成して排水路内にサイホン作用を発生させることができ、汚物等の搬送を良好に行うことができる。
【図面の簡単な説明】
【００１４】
【図１】実施例１の水洗式便器の断面図である。
【図２】実施例１の水洗式便器の平面図である。
【図３】図１の矢視Ａ−Ａ断面図である。
【図４】図１の矢視Ｂ−Ｂ断面図である。
【図５】図１の矢視Ｃ−Ｃ断面図である。
【図６】（Ａ）実施例１の上昇流路の断面図である。（Ｂ）図６（Ａ）の矢視Ｄ−Ｄ〜Ｈ−Ｈ断面図である。（Ｃ）図６（Ａ）の矢視Ｉ−Ｉ断面図である。
【図７】図１の矢視Ｊ−Ｊ断面図である。
【図８】図１の矢視Ｋ−Ｋ断面図である。
【図９】図１の矢視Ｌ−Ｌ断面図である。
【図１０】図１の矢視Ｐ−Ｐ断面図である。
【図１１】図１の矢視Ｑ−Ｑ断面図である。
【図１２】図１の矢視Ｒ−Ｒ断面図である。
【図１３】図１の矢視Ｒ−Ｒの反対側から見た断面図である。
【図１４】実施例２の水洗式便器の断面図である。
【図１５】図１４の矢視Ｗ−Ｗ断面図である。
【図１６】図１４の矢視Ｘ−Ｘ断面図である。
【図１７】図１４の矢視Ｙ−Ｙ断面図である。
【図１８】図１４の矢視Ｚ−Ｚ断面図である。
【図１９】他の実施例の下降流路を示す部分断面図である。
【図２０】他の実施例の下降流路を示す部分断面図である。
【発明を実施するための形態】
【００１５】
本発明の水洗式便器の排水路を備えた水洗式便器を具体化した実施例１及び２を図面を参照しつつ説明する。
【００１６】
＜実施例１＞
実施例１の水洗式便器は、図１及び図２に示すように、便器本体１、便器本体１の後部上面に載置したタンク本体２、タンク本体２に貯留した洗浄水を便器本体１に吐水する分配管３、及び便器本体１の排出口４０Ａと便器本体１が設置されるトイレルームの床面に開口する図示しない排水管の流入口とを連通する接続配管４を有している。接続配管４は、排出口４０Ａの直下に排出口４０Ａから流下した洗浄水が衝突し、飛散する絞り部５を形成している。この絞り部５に洗浄水が衝突して飛散することによって水膜形成領域Ｓに水膜が形成される。これによって、排水路内にサイホン作用を発生させることができる。
【００１７】
便器本体１は、便鉢１０、導入路２０、上昇流路３０、及び下降流路４０を備えている。導入路２０、上昇流路３０、下降流路４０及び接続配管４が水洗式便器の排水路を構成している。
【００１８】
便鉢１０は上部内周縁にリム通水路１１を形成している。分配管３は、タンク本体２の排出口に接続した流入口３Ａと、流入口３Ａの下方で分岐した第１吐出管３Ｂ及び第２吐出管３Ｃとを有している。便器洗浄を実行すると、タンク本体２に貯留した洗浄水を第１吐出管３Ｂからリム通水路１１に沿って吐水するとともに、第２吐出管３Ｃから便鉢１０の後部に向けて吐水する。第１吐出管３Ｂからリム通水路１１に沿って吐水した洗浄水は、リム通水路１１上を流れつつ、便鉢１０の内面に流れ落ちる。また、第１吐出管３Ｂから吐水する洗浄水の水量は第２吐出管３Ｃから吐水する洗浄水の水量よりも多いため、便鉢１０の上方から見ると、便鉢１０内には反時計回りに流れる旋回流ＦＬが形成される。
【００１９】
導入路２０は、図１及び図３〜図５に示すように、便鉢１０の下端部に連続しており、管状に形成されている。導入路２０は、便鉢１０の下端部から便器本体１の後方に向けて下方に傾斜している。つまり、導入路２０は上昇流路３０の上流端部３１へ向けて下方に傾斜している。導入路２０の下流端部と上昇流路３０の上流端部３１とは連続して形成されている。導入路２０は、洗浄水の排水方向に対して直角方向の断面形状において、左下コーナー部２０Ｌ、３１Ｌの方が右下コーナー部２０Ｒ、３１Ｒに比べ曲率の小さい緩やかな曲がり具合のＲ面に形成されている。これに伴い、右側面３１Ｃが直線的に立ち上がっている。
【００２０】
洗浄水は、便鉢１０内で反時計回りに流れる旋回流ＦＬを形成して導入路２０内に流入する。この際、左下コーナー部２０Ｌ、３１Ｌが緩やかな曲がり具合のＲ面であるため洗浄水は導入路２０内にスムーズに流入する。導入路２０内に流入した洗浄水は、曲率の大きい曲がり具合がきついＲ面の右下コーナー部２０Ｒ、３１Ｒから直線的に立ち上がっている右側面３１Ｃに衝突して排水路の下流方向への流れに変化する。このように、導入路２０によって、便鉢１０内で旋回していた洗浄水の流れを排水路の下流方向の流れに変化して、かつ下流方向の流れを加速し、整流化することができる。
【００２１】
導入路２０の下流端部であって、上昇流路３０の上流端部３１は、図５に示すように、断面形状が横長の略矩形である。上昇流路３０の上流端部３１を境にして、洗浄水の排水方向が下方向から上方向に変化することに起因して、上側面３１Ｔ側に流速の速い洗浄水が流れる。上昇流路３０の上流端部３１の近傍の排水路の断面形状において、上下寸法を大きくすると、下側面３１Ｂ側の洗浄水の流速が遅くなり、下側面３１Ｂ側の近傍の整流化された洗浄水が淀んでしまうおそれがある。そこで、上昇流路３０の上流端部３１の近傍においては、上下方向の寸法を小さくして整流化された洗浄水が淀まないようにするとともに、流量を確保するために横方向の寸法を大きく形成している。このため、上昇流路３０の上流端部３１は断面形状が横長の略矩形に形成している。
【００２２】
また、上昇流路３０の上流端部３１において、上下方向の中央Ｍより上側の流路面積Ａ１を下側の流路面積Ｂ１よりも大きく形成している。これによって、洗浄水の流速が速い領域である上側の流路面積Ａ１を大きくし、上昇流路３０に大量の洗浄水を流すことができるとともに、上昇流路３０の上流端部３１において、下側面３１Ｂの近傍における洗浄水の流速を速くし、整流化された洗浄水の淀みを少なくすることができる。なお、上述したように、曲率の大きい曲がり具合のきついＲ面の右下コーナー部２０Ｒ、３１Ｒから直線的に立ち上がった右側面３１Ｃによって、導入路２０内で洗浄水の流れを排水路の下流方向に変化させ、かつ下流方向の流れを加速することによって最適化を図ることができる。
【００２３】
上昇流路３０は上流端部３１から便器本体１の後方（下流側）に向けて上昇している。上昇流路３０は、図１、図６（Ａ）〜（Ｃ）及び図７に示すように、下側面３３、下側面３３の左右両端から立ち上がる左右側面３４Ｌ、３４Ｒ、及び左右側面３４Ｌ、３４Ｒの上端を連結する上側面３５に囲まれて形成されている。
【００２４】
上昇流路３０は、洗浄水の排水方向に対して直角方向の断面形状において、上下方向の最大長さを上流端部３１から下流側に向けて（上流端部３１から図６（Ａ）の矢視Ｄ−Ｄ断面に至るまでの間に）拡大している。これにより、上昇流路３０は、この断面形状における上下方向の長さを上昇流路３０の下流側で大きくすることができる。このため、上昇流路３０の下流端の頂部３２を汚物等が通過する際に上昇流路３１の上側面３５に汚物等が引っ掛かることを防止することができる。よって、排水路内で汚物等が滞留せず、汚物等の搬送を良好に行うことができる。
【００２５】
上昇流路３０は下側面３３を下流側に位置する頂部３２に向けて徐々に広げて形成している。また、下側面３３は、上昇流路３０において、洗浄水の排水方向及び排水方向に対して直角方向に延びた平坦面に形成されている。また、下側面３３の頂部３２は洗浄水の排水方向に対して直角方向に延びた略水平面を有している。
【００２６】
上昇流路３０の下側面３３の近傍では上流側より下流側において洗浄水の流速が速い。このため、上昇流路３０の下側面３０を下流端に位置する頂部３２に向けて徐々に広げることによって、洗浄水の流速が速い領域の流路面積を拡大し、大流量の洗浄水が上昇流路３０を流れるようにしている。また、下側面３３を頂部３２に連続して形成しているため、上昇流路３０内の洗浄水がスムーズに流れることができる。このため上昇流路３０内における汚物等の搬送を良好に行うことができる。
【００２７】
また、頂部３２が洗浄水の排水方向に対して直角方向に延びた略水平面を有しているため、上昇流路３０の下流端部に流れる大流量の洗浄水を一気に頂部３２の下流側の下降流路４０へ流下することができる。下降流路４０を流下した洗浄水は、接続配管４の絞り部５に衝突して飛散することによって、水膜形成領域Ｓに水膜を形成し、排水路内にサイホン作用を確実に発生させることができる。サイホン作用の発生によって、洗浄水は排水路内をさらに勢いよく流れるため、汚物等は、その速い流速の洗浄水に乗って上昇流路３０の流路面積が拡大した領域に搬送され、上昇流路３０を良好に搬送することができる。
【００２８】
したがって、実施例の水洗式便器の排水路は便器洗浄を良好に行うことができる。
【００２９】
上昇流路３０は、洗浄水の排水方向に対して直角方向の断面形状において、上流端部３１の上側面３１Ｔは上方に膨らんだ曲面に形成されているが、上流端部３１より下流側において上側面３５は中央部から左右下方に向けて徐々に横幅を広くした山型に形成されている。これによって、上昇流路３０の上側面３５の近傍における洗浄水の流速が遅くなる領域において、流路面積を小さくすることによって、洗浄水の流速を速くして整流化された洗浄水の淀みを防止することができる。このため、上昇流路３０内の洗浄水を良好に流すことができ、汚物等の搬送を良好に行うことができる。
【００３０】
また、山型に形成された上側面３５の上流端部３１側では、上側面３５を中央部から左右下方に延びて内側に膨らんだ傾斜面に傾斜している。上流端部３１より下流側の近傍では、洗浄水の流れ方向が下方向から上方向に変化した直後であるため、上側面３５の近傍において洗浄水が淀み易い。このため、この淀み易い領域の上側面３５を内側に膨らんだ傾斜面にすることによって、洗浄水の流速をさらに速くし、整流化された洗浄水の淀みを防止することができる。これによって、上昇流路３０内の洗浄水が良好に流れ、上昇流路３０内における汚物等の搬送を良好に行うことができる。
【００３１】
上昇流路３０は、上述したように、上流端部３１では、洗浄水の排水方向に対して直角方向の断面形状における上下方向の中央Ｍより上側の流路面積Ａ１を下側の流路面積Ｂ１よりも大きく形成している。つまり、上昇流路３０の上流端部３１では、上側面３１Ｔ側の近傍の洗浄水の流速が速いため、上側の流路面積Ａ１を大きくして大流量の洗浄水が流れるようにしている。上昇流路３０は、上流端部３１よりも下流側に進むにつれて上側面３５の近傍の洗浄水の流速が遅くなる。このため、洗浄水の排水方向に対して直角方向の断面形状における上下方向の中央Ｍより上側の流路面積を徐々に小さくし、それにつれて下側の流路面積を徐々に大きくしている。上流端部３１から中間部３０Ｍまでは、上側の流路面積が下側の流路面積よりも大きく形成されている。中間部３０Ｍから下流端部までは、図６（Ｂ)及び図７に示すように、洗浄水の排水方向に対して直角方向の断面形状において、上下方向の中央Ｍより下側の流路面積Ｂ２を上側の流路面積Ａ２よりも大きく形成している。
【００３２】
このように、上昇流路３０の上流端部３１から中間部３０Ｍまでは、洗浄水の流速が速い領域である上側の流路面積を大きくし、上昇流路３０の中間部３０Ｍから下流端部までは、洗浄水の流速が速い領域である下側の流路面積を大きくしているため、上昇流路３０の整流化された洗浄水の淀みを少なくして上昇流路３０内の全領域で大流量の洗浄水を良好に流すことができる。このため、上昇流路内における汚物等の搬送を良好に行うことができる。
【００３３】
下降流路４０は、図１、及び図８〜図１３に示すように、上昇流路３０の下流側に連続して形成されている。下降流路４０は垂直下方に延びている。つまり、下降流路４０は下流側に向けて下降している。下降流路４０は下端部に排出口４０Ａを形成している。排出口４０Ａは、接続配管４の上流側の接続口に挿入され、接続配管４を介してトイレルームの床面に開口する排水管の流入口に連通することができる。
【００３４】
下降流路４０は、上昇流路３０の頂部３２から延びて、下降流路４０の内周面に沿って内側に突出して形成され、内側上方を向いた傾斜面からなる棚部４１を有している。棚部４１が下降流路４０の内周面に沿って内側に突出しているため、頂部３２を乗り越えた洗浄水が棚部４１に沿って流れ、下降流路４０の後方に洗浄水を送ることができる。棚部４１から下降流路４０内に流れ落ちた洗浄水は、接続配管４に形成した絞り部５に衝突して飛散する。これによって、水膜形成領域Ｓに水膜が形成され、排水路内にサイホン作用を早期に発生させることができる。つまり、少ない洗浄水でもサイホン作用を早期に発生させることができ、汚物等の搬送を良好に行うことができる。
【００３５】
したがって、実施例１の水洗式便器の排水路は便器洗浄を良好に行うことができる。
【００３６】
また、棚部４１が内側上方を向いた傾斜面からなるため、棚部４１によって下降流路４０の流路面積が小さくなるが、その変化を緩やかにすることができる。このため、棚部４１による汚物等の詰まりを防止することができ、汚物等の搬送を良好に行うことができる。
【００３７】
また、棚部４１は上昇流路３０の頂部３２から下降流路４０の内周面に沿って後方に向けて下降している。このため、頂部３２から棚部４１に流れる洗浄水が少なくても下降流路４０の内周面に沿って下降流路４０の後部まで洗浄水を送ることができる。つまり、少ない洗浄水でも下降流路４０の周囲から洗浄水が流れ落ち、水膜形成領域Ｓに水膜を確実に形成することができる。よって、少ない洗浄水で早期にサイホン作用を発生させることができ、汚物等の搬送を良好に行うことができる。
【００３８】
また、棚部４１は下降流路４０の内周面に沿って後方に向けて幅が徐々に細くなっている。棚部４１は、排水路内にサイホン作用が発生し、下降流路４０内を洗浄水と共に汚物等が流れる際には抵抗となる。このため、棚部４１の幅を後方に向けて徐々に細くすることにより、早期にサイホン作用を発生させることができるとともに、洗浄水等の流れの抵抗を減少し、汚物等の搬送を良好に行うことができる。
【００３９】
＜実施例２＞
実施例２の水洗式便器は、図１４に示すように、便器排水路の下降流路１４０の下流端に連通し、便器本体１０１の後方に向けて横方向に延びる横引き流路１４６を有している。また、この水洗式便器は、下降流路１４０の後側面１４４の外周面の中央部に垂直方向に延びて便器本体１０１の後部を補強する補強壁１５０を有している。他の構成は、実施例１と同様であり、同一の構成については同一の符号を付し詳細な説明を省略する。
【００４０】
横引き流路１４６は下降流路１４０の下流端に連続して形成されている。横引き流路１４６の下流端に設けられた排出口１４０Ａは便器本体１０１の後方に向けて開口している。排出口１４０Ａは、接続部材５の上流側の接続口に挿入され、接続部材５を介してトイレルームの壁面から引き出された排水管の流入口に連通することができる。
【００４１】
下降流路１４０は、図１５に示すように、上昇流路３０の頂部３２から下方に延びた前側面１４２、前側面１４２の左右両端から後方に延びた左右側面１４３Ｌ、１４３Ｒ、及び左右側面１４３Ｌ、１４３Ｒの後端を連結する後側面１４４に囲まれて形成されている。下降流路１４０は、便鉢１０、導入路２０、及び上昇流路３０等と一体的に形成され、便器本体１０１を構成している。便器本体１０１は陶器製であり、泥漿鋳込み成型方法により製造されている。このため、後側面１４４の外周面から補強壁１５０が延びている部分の内周面等には、製造過程で泥漿が乾燥して便器本体１０１が収縮することによって生じる凹部１４４Ａが形成されている。
【００４２】
下降流路１４０は、図１４〜図１８に示すように、上昇流路３０の頂部３２から延びて、下降流路１４０の内周面に沿って内側に突出して形成され、内側上方を向いた傾斜面からなる棚部１４１を有している。棚部１４１が下降流路１４０の内周面に沿って内側に突出しているため、頂部３２を乗り越えた洗浄水が棚部１４１に沿って流れ、下降流路１４０の後方に洗浄水を送ることができる。棚部１４１から下降流路１４０内に流れ落ちた洗浄水で下降流路１４０と横引き流路１４６との境界面である水膜形成領域Ｓに水膜が形成される。これによって、排水路内にサイホン作用を早期に発生させることができる。つまり、少ない洗浄水でもサイホン作用を早期に発生させることができ、汚物等の搬送を良好に行うことができる。
【００４３】
したがって、実施例２の水洗式便器の排水路は便器洗浄を良好に行うことができる。
【００４４】
また、棚部１４１が内側上方を向いた傾斜面からなるため、棚部１４１によって下降流路１４０の流路面積が小さくなるが、その変化を緩やかにすることができる。このため、棚部１４１による汚物等の詰まりを防止することができ、汚物等の搬送を良好に行うことができる。
【００４５】
また、棚部１４１は上昇流路３０の頂部３２から下降流路１４０の内周面に沿って後方に向けて下降している。このため、頂部３２から棚部１４１に流れる洗浄水が少なくても下降流路１４０の内周面に沿って下降流路１４０の後部まで洗浄水を送ることができる。つまり、少ない洗浄水でも下降流路１４０の周囲から洗浄水が流れ落ち、水膜形成領域Ｓに水膜を確実に形成することができる。よって、少ない洗浄水で早期にサイホン作用を発生させることができ、汚物等の搬送を良好に行うことができる。
【００４６】
また、棚部１４１は下降流路１４０の内周面に沿って後方に向けて幅が徐々に細くなっている。棚部１４１は、排水路内にサイホン作用が発生し、下降流路１４０内を洗浄水と共に汚物等が流れる際には抵抗となる。このため、棚部１４１の幅を後方に向けて徐々に細くすることにより、早期にサイホン作用を発生させることができるとともに、洗浄水等の流れの抵抗を減少し、汚物等の搬送を良好に行うことができる。
【００４７】
また、棚部１４１は下降流路１４０の後側面１４４の中央部まで延びている。このため、下降流路１４０の内周面に沿って下降流路１４０の後側面１４４の中央部まで洗浄水を確実に送ることができる。よって、下降流路１４０の後側面１４４の下端部から拡がるように水膜を形成し、排水路内にサイホン作用を発生させることができる。特に、後壁面１４４の中央部に形成された凹部１４４Ａまで洗浄水を送ることができるため、凹部１４４Ａの周囲に水膜が形成されずに排水路内にサイホン作用が発生しないという不具合を確実に防止することができる。このため、排水路内にサイホン作用を確実に発生させることができ、汚物等の搬送を良好に行うことができる。
【００４８】
本発明は上記記述及び図面によって説明した実施例１及び２に限定されるものではなく、例えば次のような実施例も本発明の技術的範囲に含まれる。
（１）実施例１及び２では、上昇流路を導入路の下流端部に連続して形成したが、上昇流路を下流端部とは別体に形成して、導入路の下流端部に連結してもよい。
（２）実施例１及び２では、下降流路を上昇流路の下流側に連続して形成したが、下降流路を上昇流路とは別体に形成して、上昇流路の下流側に連結してもよい。
（３）実施例１及び２では、便器本体の後部上面に載置したタンク本体に貯留した洗浄水を便器本体に供給する水洗式便器であったが、タンク本体を有さず、開閉弁を介して給水源から直接的に洗浄水を供給する水洗式便器であってもよい。
（４）実施例１及び２では、上昇流路を洗浄水の排水方向に対して直角方向の断面形状において、上下方向の中央より上側の流路面積の大きさと下側の流路面積の大きさを中間部で逆転させたが、上昇流路の全体において上側の流路面積と下側の流路面積の比率を同じにしてもよい。
（５）実施例１及び２では、上昇流路の下側面を頂部に向けて徐々に広がって形成したが、上昇流路の下側面は頂部に向けて同じ幅で延びていてもよい。
（６）実施例１及び２では、上昇流路の下側面が略平坦面に形成したが、平坦面でなくてもよい。
（７）実施例１及び２では、頂部が洗浄水の排水方向に対して直角方向に延びた略水平面を有しているが、頂部が略水平面でなくてもよい。
（８）実施例１及び２では、上昇流路の上側面を山型に形成したが、山型でなくてもよい。
（９）実施例１及び２では、棚部が下降流路の内周面に沿って後方に向けて下降していたが、下降していなくてもよい。
（１０）実施例１及び２では、棚部が下降流路の内周面に沿って後方に向けて幅が徐々に細くなっていたが、細くしなくてもよい。
（１１）実施例１及び２では、棚部が内側上方を向いた傾斜面に形成されていたが、図１９に示すように、棚部は水平面２４１であってもよく、また、図２０に示すように、外側上方を向いた傾斜面３４１に形成されてもよい。
（１２）実施例１及び２では、便鉢の下端部と上昇流路の上流端部とを連結する導入路を備えていたが、導入路を備えず、便鉢の下端部に直接的に上昇流路の上流端部を連結してもよい。
（１３）実施例１及び２では、便鉢内に反時計回りに流れる旋回流を形成したが、洗浄水を時計回りに旋回させるものであってもよい。この場合、導入路の形状は実施例における形状を左右反転したものになる。
（１４）実施例１では、接続配管に絞り部を形成したが、下降流路に絞り部を形成してもよい。
（１５）実施例１及び２では、上昇流路の中間部から下流端部までは洗浄水の排水方向に対して直角方向の断面形状において、上下方向の中央より下側の流路面積を上側の流路面積よりも大きく形成しているが、上流端部近傍では上側の流路面積を下側の流路面積より大きくしてもよい。上昇流路の上流端部近傍では、上側面まで洗浄水が満水にならない場合が多く、上側面の形状や流路面積が流れに影響しないからである。
（１６）実施例１及び２では、上昇流路を洗浄水の排水方向に対して直角方向の断面形状において、上下方向の最大長さを上流端部から下流側に向けて拡大したが、上昇流路の下流端の頂部を汚物等が通過する際に汚物等が引っ掛からないようにすればよく、上昇流路の適宜位置の断面形状の上下方向の長さが下流端部より拡大していればよい。
【産業上の利用可能性】
【００４９】
本発明は水洗式便器に利用可能である。
【符号の説明】
【００５０】
１０…便鉢
３０…上昇流路
４０…下降流路
４１、１４１…棚部
１４４…後側面
【図１】
0005715404.tif 000002
【図２】
0005715404.tif 000003
【図３】
0005715404.tif 000004
【図４】
0005715404.tif 000005
【図５】
0005715404.tif 000006
【図６】
0005715404.tif 000007
【図７】
0005715404.tif 000008
【図８】
0005715404.tif 000009
【図９】
0005715404.tif 000010
【図１０】
0005715404.tif 000011
【図１１】
0005715404.tif 000012
【図１２】
0005715404.tif 000013
【図１３】
0005715404.tif 000014
【図１４】
0005715404.tif 000015
【図１５】
0005715404.tif 000016
【図１６】
0005715404.tif 000017
【図１７】
0005715404.tif 000018
【図１８】
0005715404.tif 000019
【図１９】
0005715404.tif 000020
【図２０】
0005715404.tif 000021